(57)【特許請求の範囲】
【請求項１】
昇降路または機械室の天井部に設けられた係合部に掛けられる吊元部と、この吊元部に横方向両側に延びるように設けられ、当該吊元部を中心として周方向に回転可能で、かつ上下方向に回転可能なビームと、このビームの前記吊元部の近傍に設けられた第１の滑車と、前記ビームの長手方向の一端部に設けられた第２の滑車と、前記第１及び第２の滑車に掛けられ、前記第２の滑車側の端部にエレベータ用品が吊り下げられるロープと、このロープの前記第１の滑車側の端部に連結され、このロープを介して前記エレベータ用品を揚重する第1の揚重機と、前記ビームの長手方向の他端部に連結され、前記吊元部を中心として前記ビームを周方向及び上下方向に回転移動させる第2の揚重機と、からなることを特徴とするエレベータ用品揚重装置。
【請求項２】
前記ビームの前記第2の滑車より先端部側にロープ移動制限部材を設け、このロープ移動制限部材と前記第2の滑車との間に前記ロープを通したことを特徴とする請求項１に記載のエレベータ用品揚重装置。
【請求項３】
前記ロープ移動制限部材を前記第2の滑車の軸心に対して接離する方向に移動可能に構成したことを特徴とする請求項２に記載のエレベータ用品揚重装置。
【請求項４】
前記第2の揚重機を複数個設け、各第2の揚重機を前記昇降路の対峙する壁面の構造物にそれぞれ支持させたことを特徴とする請求項１に記載のエレベータ用品揚重装置。
【請求項５】
前記吊元部から第2の滑車までの距離を可変に構成したことを特徴とする請求項１に記載のエレベータ用品揚重装置。
【請求項６】
吊元部に横方向両側に延びるように設けられ、当該吊元部を中心として周方向及び上下方向に回転可能であって、当該吊元部の近傍に第1の滑車を有するとともに、長手方向の一端部に第2の滑車を有するビームを使用し、前記吊元部を昇降路または機械室に設けられた天井部の係合部に掛け、前記ビームの第１及び第２の滑車にロープを掛け、このロープの前記第２の滑車側の端部に前記エレベータ用品を吊り下げるとともに、前記ビームの長手方向の他端部に連結された揚重機により前記吊元部を中心として前記ビームを周方向及び上下方向に回転移動させ、前記ロープの前記第１の滑車側の端部に連結された揚重機により前記ロープを介して前記エレベータ用品を所定の位置に揚重することを特徴とするエレベータ用品揚重方法。
【発明の詳細な説明】
【０００１】
【発明の属する技術分野】
本発明は、エレベータの昇降路内または機械室内において使用する、エレベータ用品揚重装置及び揚重方法に関する。
【０００２】
【従来の技術】
エレベータは、一般に昇降路の最上部に設けられた機械室に巻上機を設置し、乗りかごとつり合いおもりを両端に連結したロープを巻上機の駆動シーブに掛けて、ロープと駆動シーブとの摩擦力を利用してロープを駆動することにより、乗りかご及びつり合いおもりを互いに逆方向に昇降させるようになっている。
【０００３】
このようなエレベータを据付ける場合には、機械室に巻上機を設置し、この巻上機を利用して昇降路内にエレベータ用品を吊り上げ、所定の個所に組み付けるようにするのが一般的である。
【０００４】
しかしながら、近年、建物の有効活用が図れることから、昇降路上方に機械室を設けず、昇降路内に巻上機を設置した、いわゆる機械室レスエレベータが実用化されてきており、この場合には昇降路内のエレベータ用品の吊り上げ作業は、機械室の巻上機がないことから、昇降路天井部にチェーンブロックまたはホイスト等の揚重機を設置して行うようにしている。
【０００５】
図６に従来のこの種エレベータにおけるエレベータ用品揚重装置の概略構成図を示す。昇降路内にエレベータ用品を組み付ける場合には、昇降路１の天井部に設けられた天井フック２やトロリービームにチェーンブロック３またはホイストを掛け、このチェーンブロック３またはホイストを使用してエレベータ用品４を吊り上げていた。
【０００６】
【発明が解決しようとする課題】
しかしながら、図６に示す従来の揚重装置においては、チェーンブロック３やホイストにそれ自身の高さ寸法があるために、天井部からの吊代が十分にとれない場合があり、エレベータ用品４の吊り位置が下方に位置して揚重しきれない問題があった。特に機械室レスのエレベータにおいては、昇降路１高さ寸法が制限されるため、昇降路２天井部に確保できる上下方向の空間が狭く、そのためにエレベータ用品４を揚重するための吊代が確保できない問題が多々あった。
【０００７】
またチェーンブロック３やホイストは、エレベータ用品４の平面重心に合わせた位置に設置するため、エレベータ用品４の設置場所が異なる毎に吊元位置を変える必要があり、そのための段取り作業を行わなければならなかった。
【０００８】
そこで、本発明の目的は、吊代の少ない昇降路や機械室でもエレベータ用品をチェーンブロック等の揚重機の吊り位置より上方まで揚重できるとともに、エレベータ用品毎に吊元位置を変えることなく、エレベータ用品の吊心に近付けてエレベータ用品を揚重することのできるエレベータ用品揚重装置及び揚重方法を提供することにある。
【０００９】
【課題を解決するための手段】
請求項１に記載のエレベータ用品揚重装置は、昇降路または機械室の天井部に設けられた係合部に掛けられる吊元部と、この吊元部に横方向両側に延びるように設けられ、当該吊元部を中心として周方向に回転可能で、かつ上下方向に回転可能なビームと、このビームの前記吊元部の近傍に設けられた第１の滑車と、前記ビームの長手方向の一端部に設けられた第２の滑車と、前記第１及び第２の滑車に掛けられ、前記第２の滑車側の端部にエレベータ用品が吊り下げられるロープと、このロープの前記第１の滑車側の端部に連結され、このロープを介して前記エレベータ用品を揚重する第1の揚重機と、前記ビームの長手方向の他端部に連結され、前記吊元部を中心として前記ビームを周方向及び上下方向に回転移動させる第2の揚重機と、からなることを特徴とする。
【００１０】
請求項１に記載の発明によれば、吊元部を中心としてビームを周方向及び上下方向に回転移動させることにより、エレベータ用品の吊元である第２の滑車の位置を吊元部よりも高い位置で、しかもエレベータ用品の吊心の位置に近付けて配置できる。
【００１１】
請求項２に記載のエレベータ用品揚重装置は、請求項１に記載の発明において、前記ビームの前記第2の滑車より先端部側にロープ移動制限部材を設け、このロープ移動制限部材と前記第2の滑車との間に前記ロープを通したことを特徴とする。
【００１２】
請求項２に記載の発明によれば、請求項１に記載の発明の作用に加え、ロープ移動制限部材によって、ロープの移動を制限し、ロープが第2の滑車から外れる危険を防止できる。
【００１３】
請求項３に記載のエレベータ用品揚重装置は、請求項２に記載の発明において、前記ロープ移動制限部材を前記第2の滑車の軸心に対して接離する方向に移動可能に構成したことを特徴とする。
【００１４】
請求項３に記載の発明によれば、請求項２に記載の発明の作用に加え、ロープ移動制限部材の取付位置を変えることにより、ロープの挿入作業を容易にできる一方、ロープの移動を確実に制限できるようになる。
【００１５】
請求項４に記載のエレベータ用品揚重装置は、請求項１に記載の発明において、前記第2の揚重機を複数個設け、各第2の揚重機を前記昇降路の対峙する壁面の構造物にそれぞれ支持させたことを特徴とする。
【００１６】
請求項４に記載の発明によれば、請求項１に記載の発明の作用に加え、複数個の第２の揚重機によって、吊元部を中心としてビームを周方向及び上下方向に的確に回転させることができる。
【００１７】
請求項５に記載のエレベータ用品揚重装置は、請求項１に記載の発明において、前記吊元部から第2の滑車までの距離を可変に構成したことを特徴とする。
【００１８】
請求項５に記載の発明によれば、請求項１に記載の発明の作用に加え、エレベータ用品の吊元である第２の滑車の位置を昇降路内の広範囲の位置に選定できる。
【００１９】
請求項６に記載のエレベータ用品揚重方法は、吊元部に横方向両側に延びるように設けられ、当該吊元部を中心として周方向及び上下方向に回転可能であって、当該吊元部の近傍に第1の滑車を有するとともに、長手方向の一端部に第2の滑車を有するビームを使用し、前記吊元部を昇降路または機械室に設けられた天井部の係合部に掛け、前記ビームの第１及び第２の滑車にロープを掛け、このロープの前記第２の滑車側の端部に前記エレベータ用品を吊り下げるとともに、前記ビームの長手方向の他端部に連結された揚重機により前記吊元部を中心として前記ビームを周方向及び上下方向に回転移動させ、前記ロープの前記第１の滑車側の端部に連結された揚重機により前記ロープを介して前記エレベータ用品を所定の位置に揚重することを特徴とする。
【００２０】
請求項６に記載の発明によれば、吊元部を中心としてビームを周方向及び上下方向に回転移動させ、エレベータ用品の吊元である第２の滑車の位置を吊元部よりも高い位置で、しかもエレベータ用品の吊心の位置に配置できる。
【００２１】
【発明の実施の形態】
以下、本発明の実施の形態を説明する。図１は本発明による第１の実施の形態のエレベータ用品揚重装置及び揚重方法を示す概略構成図である。
【００２２】
昇降路１の天井部にフック２あるいはトロリービームからなる係合部が設けられている。このフック２に揚重装置５を吊り下げる。揚重装置５は、フック２に掛けられる吊元部６を有し、この吊元部６に横方向両側に延びるようにビーム７が連結されている。このビーム７と吊元部６とは、オフ型ブロック鉄滑車と呼ばれる滑車８（第１の滑車）を用いて連結されており、後述するように、ビーム７は吊元部６を中心として周方向に回転可能で、かつ上下方向に回転可能に構成されている。このビーム７の吊元部６の近傍には、シャックル９が取付けられており、このシャックル９にチェーンブロック１０が吊り下げられている。またビーム７の長手方向の一端部には、滑車１１（第２の滑車）が回転可能に支持されている。この滑車１１と吊元部６近傍の滑車８にロープ１２が掛けられ、このロープ１２の滑車１１側に位置する端部にエレベータ用品４が吊り下げられる。ロープ１２の滑車８側に位置する端部には、滑車１３を介してチェーンブロック１４（第１の揚重機）が連結されており、ロープ１２を介してエレベータ用品４を揚重するようになっている。滑車１３及びチェーンブロック１４は、昇降路１の壁面の構造物１５，１６にそれぞれ支持されている。
【００２３】
ビーム１２の長手方向の他端部には、アイボルト１７が２個取付けられており、各アイボルト１７にチェーンブロック１８，１９（第2の揚重機）が取付けられている。この各チェーンブロック１８，１９は、昇降路１の対峙する壁面に設けられた構造物２０，２１にそれぞれ支持され、ビーム７の長手方向の他端部を引寄せたり引き離したりすることによって吊元部６を中心としてビーム７を周方向及び上下方向に回転移動させ、ビーム７の長手方向の一端部に設けた滑車１１の位置を適宜に変えられるようになっている。
【００２４】
図２（ａ）及び（ｂ）は第１の実施の形態で使用するビーム部分の詳細を示す平面図及び正面図である。
【００２５】
吊元部６は、フック２に挿脱可能なアイ部６ａの根元部に回転軸６ｂが設けられており、この回転軸６ｂが滑車８を回転自在に支持する支持部８ａの上部に設けられた軸受け部６ｃに回転可能に支持されており、これによって回転軸６ｂを中心として滑車８及びビーム７が周方向に回転可能になっている。またビーム７は、滑車８の支持部８ａの両側に一対の断面コ字形鋼を配置して構成され、支持部８ａに回転可能に支持されている。これによってビーム７は支持部８ａを中心として上下方向に回転可能に構成されている。
【００２６】
ビーム７の長手方向の一端部には、滑車１１が回転自在に支持されており、その更に先端側には、ビーム７を貫通するロープ移動制限手段としてのボルト２２が取付けられ、そのボルト２２のビーム貫通孔は、滑車１１の軸心から接離する方向に延びる長孔で構成されており、ボルト２２の固定位置を変えることができるようになっている。これによりボルト２２と滑車１１との間にロープ１２を挿通する際には、ボルト２２を滑車１１から離して位置させることによりロープ１７の挿通作業が容易になり、ロープ１２の挿通後は、ボルト２２を滑車１１に近付けて位置させることにより、ロープ１２の移動を制限し、ロープ１２が滑車１１から離脱する危険を防止している。
【００２７】
ビーム７の長手方向の他端部には、２個のアイボルト１７が取付けられており、これらアイボルト１７にそれぞれチェーンブロック１８，１９が連結される。
【００２８】
ビーム７の滑車８の近傍には、下部に孔を形成した金具２３が取付けられており、その孔にシャックル９が取付けられている。このシャックル９にチェーンブロック１０が連結される。
【００２９】
このように構成した揚重装置５を使用してエレベータ用品４を揚重するには、図１において、まずエレベータ用品４の取付位置を考慮し、ビーム７の滑車１１をどの方向に向けて位置させるかを配慮して、昇降路１上部のフック２あるいはトロリービームにビーム７の吊元部６を掛ける。
【００３０】
次いで揚重用のロープ１２を滑車１１から滑車１３に掛け渡す。この場合、滑車１１とボルト２２の間を広げておいてその間を通す。ロープ１２の滑車８側の端部は、滑車１３を介してチェーンブロック１４に連結し、チェーンブロック１４は昇降路１の構造物１６やブラケットに括りつけて固定する。滑車８近傍のシャックル９にチェーンブロック１５を取付ける。ビーム７の他端部に設けた２個のアイボルト１７にそれぞれチェーンブロック１８，１９を取付け、ワイヤ１８ａ，１９ａを介して昇降路１の対峙する壁面の構造物２０，２１に固定する。ビーム７の長手方向の一端部に設けたボルト２２を滑車１１側に寄せて固定する。
【００３１】
そして図３に示すように、ビーム７の吊元部６近傍のチェーンブロック１０を使用し、エレベータ用品４を玉掛けし、ドア開口部２４から昇降路１内に取り込み、エレベータ用品４を、ある程度上方まで揚重する。
【００３２】
次いでロープ１２の滑車１１側の端部をエレベータ用品４に玉掛けし揚重する。なお、ロープ１２によりエレベータ用品４を直接玉掛けしてドア開口部２４から取り込める場合は、チェーンブロック１０によるエレベータ用品４の取り込み作業を省略してもよい。
【００３３】
エレベータ用品４をロープ１２により玉掛けした状態でビーム７の他端部に連結された２個のチェーンブロック１８，１９を使用し、吊元部６を中心としてビーム７を周方向及び上下方向に回転させ、滑車１１の位置がエレベータ用品４の取付位置に近付くようにチェーンブロック１８，１９のチェーンを操作する。エレベータ用品４が取付位置に近付き、エレベータ用品４を設置した後は、チェーンブロック１０，１４のチェーンを緩め、ロープ１２を含めてエレベータ用品４から取り外す。
【００３４】
このようにしてビーム７を的確に回転移動させ、エレベータ用品４の吊元であるビーム７の滑車１１を吊元部６よりも上方に持ち上げることにより滑車１１に吊り下げられるエレベータ用品４も上方に持ち上げることができる。従って、昇降路１の天井部からの吊代を十分に確保でき、エレベータ用品４を昇降路１上部に揚重して取付けることができる。
【００３５】
また滑車１１から滑車８までの距離がエレベータ用品４の吊元の回転半径となり、エレベータ用品４の吊心に近付けて適宜の位置に吊り上げることができる。
【００３６】
図４は本発明による第２の実施の形態におけるエレベータ用品揚重装置を示す概略構成図である。図５は第２の実施の形態で使用するビーム部分の正面図である。
【００３７】
第２の実施の形態においては、揚重装置２５のビーム２７を、滑車１１が取付けられたビーム２７ａと滑車８が取付けられたビーム２７ｂで構成し、ビーム２７ａをビーム２７ｂに対してその長手方向に移動可能に構成して吊元部６から滑車８までの距離を可変に構成したところに特徴を有する。
【００３８】
図５に示すように、ビーム２７は、ビーム２７ｂの上面にビーム２７ａを配置し、各ビーム２７ａ，２７ｂに長手方向に間隔をおいて複数個の孔２８を形成し、これら孔２８を吊元部６から滑車８までの距離を考慮して適宜選択し、選択した孔２８にボルト２９を貫通し連結して構成されている。
【００３９】
このように構成した揚重装置２５を用いれば、第１の実施の形態における揚重装置と同様の作用に加え、ビーム２７ｂに対するビーム２７ａの固定位置を変えて吊元部６から滑車１１までの距離を変えることにより、吊元部６を中心とした滑車１１の回転半径を変えることができるので、エレベータ用品４の取付位置にビーム７の回転半径を合わせ、エレベータ用品４の吊心により近付けるようにして揚重することができる。
【００４０】
なお、上記の実施の形態では、複数個のビーム２７ａ，２７ｂの固定位置を変えて吊元部６から滑車１１までの距離を変えるようにしたが、滑車１１の軸心をビーム７の長手方向に沿って移動可能に構成することによって吊元部６から滑車１１までの距離を変えるようにすることもできる。
【００４１】
また各実施の形態においては、機械室レスエレベータの昇降路を例にとり説明したが、昇降路上方に天井の低い機械室がある場合に、その機械室での揚重作業においても同様に実施できる。
【００４２】
【発明の効果】
以上述べたように、本発明によれば、吊代の少ない昇降路や機械室でもエレベータ用品毎に吊元を変えることなくエレベータ用品を天井部近くまで揚重でき、しかもエレベータ用品の取付位置に近付けて吊心を位置させることができるエレベータ用品揚重装置及び揚重方法を提供することができる。
【図面の簡単な説明】
【図１】本発明における第１の実施の形態に係わるエレベータ用品揚重装置の概略構成図である。
【図２】（ａ）及び（ｂ）は第１の実施の形態で使用するビーム部分の平面図及び正面図である。
【図３】第１の実施の形態に係わるエレベータ用品揚重装置の使用状態を示す概略構成図である。
【図４】本発明における第２の実施の形態に係わるエレベータ用品揚重装置の概略構成図である。
【図５】第２の実施の形態で使用するビーム部分の正面図である。
【図６】従来のエレベータ用品揚重装置の概略構成図である。
【符号の説明】
１…昇降路、２…フック（係合部）、３，１０，１４，１８，１９…チェーンブロック（揚重機）、４…エレベータ用品、５，２５…揚重装置、６…吊元部、７，２７ａ，２７ｂ…ビーム、８，１１，１３…滑車、９…シャックル、１２…揚重用のロープ、１５，１６，２０，２１…構造物、２２…ボルト（ロープ移動制限部材）、２８…孔、２９…ボルト。
【図１】
0004761666.tif 000002
【図２】
0004761666.tif 000003
【図３】
0004761666.tif 000004
【図４】
0004761666.tif 000005
【図５】
0004761666.tif 000006
【図６】
0004761666.tif 000007